(57)【要約】【課題】  パンクシ−リング剤収容容器よりラテックスの凝固物が抽出されるのを防止し、タイヤバルブ内のトラブルを防止することを目的としたもので、容器のキャップに濾過機能をもたせるものである。【解決手段】  液状のタイヤパンクシ−リング剤を収容する容器であって、容器１の首部２に、取出しキャップ３を取り付け、この取出しキャップ３は、首部２に取り付けるキャップ本体４と、該キャップ３内にシ−リング剤を導く導部５と、キャップ本体４からタイヤ側に伸びる供給管６と、からなり、前記導部に１．５〜５．０ｍｍφ径の流路を備えたことを特徴とするタイヤパンクシ−リング剤収容容器。１‥容器、２‥首部、３‥キャップ、４‥キャップ本体、５‥導部、６‥供給管。【選択図】  図１
2005335741.tif 000002
【特許請求の範囲】
【請求項１】
液状のタイヤパンクシ−リング剤を収容する容器であって、容器１の首部２に、取出しキャップ３を取り付け、この取出しキャップ３は、首部２に取り付けるキャップ本体４と、該キャップ３内にシ−リング剤を導く導部５と、キャップ本体４からタイヤ側に伸びる供給管６と、からなり、前記導部に１．５〜５．０ｍｍφ径の流路を備えたことを特徴とするタイヤパンクシ−リング剤収容容器。
【請求項２】
流路の径を２．０〜４．０ｍｍφとした請求項１記載のタイヤパンクシ−リング剤収容容器。
【請求項３】
流路が複数個設けられた請求項１又は２記載のタイヤパンクシ−リング剤収容容器。
【請求項４】
流路の内側に螺旋溝を形成した請求項１乃至３記載のタイヤパンクシ−リング剤収容容器。
【発明の詳細な説明】
【技術分野】
【０００１】
タイヤパンクシ−リング剤を収容する容器に関するものである。
【背景技術】
【０００２】
近年、非耐圧性の変形容易な合成樹脂製の容器を用い、この容器を手で圧搾（押圧）することによりシーリング剤をタイヤに注入し、その後この容器を取り外し、タイヤに別途コンプレッサを接続してポンプアップするシステムが案出されている。（特許文献１）
【０００３】
【特許文献１】特開２００３−２６２１７
【０００４】
特許文献１に記載された収容容器１を図１に示すが、キャップ（図示しない）を外した後、収容容器１の首部２に、取出しキャップ３を取り付ける。この取出しキャップ３は、前記首部２に螺着されるキャップ本体４と、該キャップ３にシ−リング剤を導く導部５と、キャップ本体４からタイヤ側に伸びる供給部６と、からなり、供給チュ−ブ７がここに嵌め込まれている。
【０００５】
前記供給チュ−ブ７は柔軟なホース状をなし、先端をタイヤのバルブ（図示しない）に接続する。その後、収容容器１の胴部を手によって圧搾し、それに伴う容積の減少により、収容するシーリング剤を前記供給チュ−ブ７から取出しタイヤ内に注入する。又注入後は、前記収容容器１を取り外すとともに、この収容容器１が取り外されたタイヤをコンプレッサによってポンプアップし、その後、直ちにタイヤを所定時間、通常１０分程度回転させることによってパンク穴を応急的にシールする。
【０００６】
近年、パンクシーリング剤を改良したものとして、特許文献２には、天然ゴムラテックスのみからなるゴムラテックスを含むとともに、この天然ゴムラテックスに適合する樹脂系接着剤を有するパンクシーリング剤が開発され、更に、これを改良したものとして本出願人は既に特許文献３を提供している。
即ち、パンクシーリング剤として天然ゴムを含むものを使用すると、パンクシーリング剤が作業者の手、顔等に付着したり、ガスと共に飛散したパンクシーリング剤を作業者が吸引してしまうと、アレルギー反応による健康障害を引き起こすおそれがある。
【０００７】
また、天然ゴムラテックスは、ラテックスとしての安定性を確保するために、通常、PH調整剤としてアンモニアが添加され、PHが9 〜10程度に調整されている。このため、パンク修理時にはパンクシーリング剤から強い刺激臭が発生し、作業者に対する作業環境が良好ではなく、健康にも悪影響を与えるおそれがある。
【０００８】
【特許文献２】特開平９−１１８７７９号
【０００９】
上記事実を考慮して、アレルギー反応による健康障害や刺激具による作業環境の悪化を引き起こすことなく、高温及び低温の条件下やウェット条件下でも、パンクしたタイヤに対して優れたシール性能を発揮するパンクシーリング剤を提供した（特許文献３）。
【００１０】
【特許文献３】特願２００３−１３５５３３号
【００１１】
即ち、特許文献３のパンクシーリング剤は、ＳＢＲラテックス及び／又はＮＢＲラテックスを含むとともに、該ゴムラテックスに適合する樹脂系接着剤を有するもので、樹脂系接着剤は、前記ゴムラテックスの水性分散剤又は水性乳剤の状態で加えられることを特徴とする。
【００１２】
しかしながら、ラテックスを用いたパンクシ−リング剤にあっては、ラテックスの安定化が崩れ、凝固傾向があることは否めない。また、パンクシ−リング剤中に繊維やその他のフィラ−が添加されている場合には、従来の容器にこれを充填し使用に供すると、いわゆるダマ（主としてラテックスの凝固物）や繊維やフィラ−がキャップ側に、或いはタイヤ側のバルブ内に詰まるという問題があった。
【００１３】
これらは、容器を直接振ることで対処したり、バルブ内に針金状の特殊な工具を差し込んで取り除くことが行われているが、根本的な解決策ではない。
【発明の開示】
【発明が解決しようとする課題】
【００１４】
本発明はかかる問題点を解決しようとするものであり、容器よりラテックスの凝固物が抽出されるのを防止し、タイヤバルブ内のトラブルを防止することを目的としたものである。
【課題を解決するための手段】
【００１５】
本発明の要旨は、液状のタイヤパンクシ−リング剤を収容する容器であって、容器１の首部２に、取出しキャップ３を取り付け、この取出しキャップ３は、首部２に取り付けるキャップ本体４と、該キャップ３内にシ−リング剤を導く導部５と、キャップ本体４からタイヤ側に伸びる供給管６と、からなり、前記導部に１．５〜５．０ｍｍφ径の流路を備えたことを特徴とするものであり、好ましくは、流路の径を２．０〜４．０ｍｍφとしたもので、更に好ましくは、流路の内側に螺旋溝を形成したものである。
【発明の効果】
【００１６】
本発明は、タイヤパンクシ−リング剤収容容器のキャップに濾過機能をもたせるものであって、具体的には、キャップに繊維等のフィラ−や保存中に発生しがちなシ−リング液中のラテックス等の凝集物等を濾過する機能をもたせ、タイヤバルブ側の詰まりを予防するものである。
【発明を実施するための最良の形態】
【００１７】
本発明は上記したようにタイヤパンクシ−リング剤収容容器に濾過機能をもたせるものであり、特に、タイヤバルブのバルブコアを除いた場合の導通路の最も狭い部分の内径は３ｍｍφであり、これよりもキャップ側の流路を大きく取り過ぎた場合、凝集物等がタイヤ側に注入されてしまい、バルブ側で詰まりが発生することがある。
【００１８】
キャップ内の流路の径は１．５〜５．０ｍｍφ、好ましくは２．０〜４．０ｍｍφである。流路の径がこれ以上大きくなると、ラテックスの凝集物や繊維のフィラ−のだまが通り抜けてしまい、タイヤバルブで詰まってシ−リング剤を注入できなくなってしまう。又、流路の径がこれ以下では目詰まりを起こしたり、注入時の流れ抵抗が大きく注入しずらい等の不具合が起こる。
【００１９】
更に、キャップの流路内側に螺旋を切ることにより、シ−リング剤を攪拌する流れを起こすことで注入性を改善することができる。螺旋ピッチは１〜１５ｍｍ、螺旋に形成した山部の高さは０．５〜１．０ｍｍとするのがよい。更に好ましくは、ピッチを３〜１０ｍｍとするのがよく、これよりも狭いピッチとすると、効果が少なくなり、これよりも広いピッチとすると十分な効果が得られない。
【００２０】
キャップの流路は一つ又は複数であり、流路の位置は特に限定はない。図１例で言えば導部（＝筒部）にリ−リング剤の流路を備えるものであり、或いは、筒部ではなく、流路を形成したプレ−トをキャップ内に内蔵させることでもよい。
【実施例】
【００２１】
以下、実施例をもって本発明を更に説明する。
Ａ：５ｍｍの繊維を２％含むシ−リング剤５００ｍｌを収容容器に充填し、ムシを抜いたタイヤバルブからタイヤ内へシ−リング剤を注入して評価した。
【００２２】
（１）比較例は図１における導部５の先端の内径が７ｍｍφのキャップを用いた。
【００２３】
（２）実施例１は図１における導部５の先端の内径が３ｍｍφのキャップを用いた。
【００２４】
（３）実施例２は図１における導部５の先端の内径が３ｍｍφ、導部５の内側にピッチ５ｍｍ、山の高さ０．５ｍｍの螺旋形状を備えたキャップを用いた。
【００２５】
（４）実施例３は図１における筒状の導部５の先端を閉じ、その筒体の周囲に内径が３ｍｍφの穴（３個）を備えた。
【００２６】
Ｂ：評価（５回の平均）
（１）注入性
実施例１〜３にあっては、タイヤバルブ内のシ−リング剤の詰まりは全くなかった。一方、比較例にあっては、タイヤバルブ内にシ−リング剤の詰まってしまった。
【００２７】
（２）注入時間（指数表示）
実施例１にあっては４０（指数）にてタイヤ内にシ−リング剤を注入できた。又、実施例２にあっては、注入時間は３８（指数）であり、更に、実施例３における注入時間は３４（指数）であり、その優位性が証明された。一方、比較例にあっては、バルブ内にシ−リング剤の詰まり、十分な注入ができなかった。
【産業上の利用可能性】
【００２８】
以上のように、本発明のタイヤパンクシ−リング剤収容容器によれば、例えシ−リング剤が凝固しやすい性状のものであっても全く問題なくタイヤ内に充填可能であって、その利用価値は極めて高い。
【図面の簡単な説明】
【００２９】
【図１】図１はタイヤパンクシ−リング剤収容容器の一例である。
【符号の説明】
【００３０】
１‥収容容器、
２‥収容容器の首部、
３‥取出しキャップ、
４‥キャップ本体、
５‥シ−リング剤を導く導部、
６‥タイヤ側に伸びる供給管。
【図１】
2005335741.tif 000003